(57)【要約】      （修正有）【課題】スーツケースやトランク等の鞄に、携帯端末等の小物品を保持する物品ホルダーを強固に且つ安定して取り付けられる物品保持装置を提供する。【解決手段】取っ手２４を備えた自立可能な鞄２０と、この鞄２０に取り付けられ小物品１１を保持する物品ホルダー４０とからなる物品保持装置１０である。鞄２０は、自立した状態で上方へ引出可能に設けられるスライドバー２３と、このスライドバー２３の上端に設けられる取っ手２４とを備える。物品ホルダー４０は、スライドバーに取り付けられるクリップ部４１と、取っ手２４の角部３３に位置決めされる位置決め部５１と、小物品１１を保持する保持機構６１とを備える。【選択図】図１
0003202014.tif 000002
【実用新案登録請求の範囲】
【請求項１】
取っ手を備えた自立可能な鞄と、この鞄に取り付けられ小物品を保持する物品ホルダーとからなる物品保持装置であって、
前記鞄は、自立した状態で上方へ引出可能に設けられるスライドバーと、このスライドバーの上端に設けられる前記取っ手とを備え、
前記物品ホルダーは、前記スライドバーに取り付けられるクリップ部と、このクリップに設けられ前記取っ手の角部に位置決めされる位置決め部と、この位置決め部に設けられ前記小物品を保持する保持機構とを備え、
前記位置決め部は、前記クリップ部から縦方向に延び前記取っ手の長手方向側部に当接する縦板と、この縦板の先端から横方向に延び前記取っ手の上部に当接する横板とを備えていることを特徴とする物品保持装置。
【請求項２】
前記位置決め部は、前記縦板の幅方向端部及び前記横板の端部に渡って設けられ前記取っ手をガイドするガイド板を備えることを特徴とする請求項１記載の物品保持装置。
【請求項３】
前記保持機構は、前記位置決め部に取り付けられる取付部と、この取付部に揺動可能に設けられる支持棒と、この支持棒に揺動可能に設けれ前記小物品を保持する保持部とを備えることを特徴とする請求項１又は請求項２記載の物品保持装置。
【請求項４】
前記保持機構は、前記位置決め部に着脱可能に設けられていることを特徴とする請求項１〜３のいずれか１項記載の物品保持装置。
【請求項５】
前記クリップ部は、軸を介して揺動可能に設けられ前記スライドバーを挟む左右の基端側挟み板と、これらの左右の基端側挟み板から延びるとともに互い違いに交差するように曲がる左右の指部と、前記左右の挟み板を挟み込み方向に付勢する付勢部材とを備えることを特徴とする請求項１〜４のいずれか１項記載の物品保持装置。
【請求項６】
前記小物品は、携帯端末であることを特徴とする請求項１〜５のいずれか１項記載の物品保持装置。
【請求項７】
前記左右の基端側挟み板のうち一方は、前記位置決め部に一体に成形されてることを特徴とする請求項１〜６のいずれか１項記載の物品保持装置。
【請求項８】
前記ガイド板は、前記取っ手を挟むように対向して２つ設けられ、
これら２つの前記ガイド板は、互いに接近する方向に移動可能に設けられるとともに、接近する方向に付勢部材によって付勢されていることを特徴とする請求項２〜６のいずれか１項記載の物品保持装置。
【考案の詳細な説明】
【技術分野】
【０００１】
本考案は、スマートフォンやタブレット等の小物品を保持する物品保持装置に関するものである。
【背景技術】
【０００２】
スマートフォンやタブレット等の携帯端末には、セルフタイマー付きのカメラを搭載したものが実用に供されている。カメラ付き携帯端末を用いて自分を撮影する際に直接手に持って撮影するのでは距離が近すぎる場合、カメラ付き携帯端末を三脚等の何らかのホルダーに保持して離れた場所に設置する必要がある。このようなカメラ付き携帯端末を人（被写体）から離れた位置に保持する技術が知られている（例えば、特許文献１（図３、図８）参照。）。
【０００３】
図１２に示されるように、カメラ付き携帯端末１００はホルダー１０１に保持バンド１０２で保持されている。ホルダー１０１にはクリップ１０３が備えられており、このクリップ１０３で棒１０４を挟持し人１０５が棒１０４を持つことで、カメラ付き携帯端末１００が人から離れた位置に保持される。
【０００４】
カメラは旅行先等で使われることが多いが、旅行先には荷物を持って行くのにスーツケースやトランク等の鞄を一緒に持ち運ぶことも多い。そこで、鞄を三脚の代わりとし、鞄にホルダー１０１を取り付けてカメラ付き携帯端末１００で撮影できれば三脚や棒１０４が不要となり便利である。鞄にホルダー１０１を取り付ける手段として、クリップ１０３で鞄のいずれかの部位を挟持することや、特許文献１の図３に示す３本のフレキシブルな脚部を鞄のいずれかの部位に巻き付けることが考えられる。
【０００５】
しかし、鞄のいずれかの部位をクリップ１０３で挟持するだけやフレキシブルな脚部を巻き付けるだけでは、携帯端末の重さや鞄特有の形状のため、ホルダー１０１がずれ易く強固に且つ安定して携帯端末を保持することが難しい。そこで、スーツケースやトランク等の鞄に、強固に且つ安定してホルダーを取り付けられる技術が望まれる。
【先行技術文献】
【特許文献】
【０００６】
【特許文献１】特開２０１５−１５５９３７号公報
【考案の概要】
【考案が解決しようとする課題】
【０００７】
本考案は、スーツケースやトランク等の鞄に、携帯端末等の小物品を保持する物品ホルダーを強固に且つ安定して取り付けられる技術を提供することを課題とする。
【課題を解決するための手段】
【０００８】
請求項１に係る考案は、取っ手を備えた自立可能な鞄と、この鞄に取り付けられ小物品を保持する物品ホルダーとからなる物品保持装置であって、前記鞄は、自立した状態で上方へ引出可能に設けられるスライドバーと、このスライドバーの上端に設けられる前記取っ手とを備え、前記物品ホルダーは、前記スライドバーに取り付けられるクリップ部と、このクリップに設けられ前記取っ手の角部に位置決めされる位置決め部と、この位置決め部に設けられ前記小物品を保持する保持機構とを備え、前記位置決め部は、前記クリップ部から縦方向に延び前記取っ手の長手方向側部に当接する縦板と、この縦板の先端から横方向に延び前記取っ手の上部に当接する横板とを備えていることを特徴とする。
【０００９】
請求項２に係る考案では、位置決め部は、縦板の幅方向端部及び横板の端部に渡って設けられ取っ手をガイドするガイド板を備えることを特徴とする。
【００１０】
請求項３に係る考案では、保持機構は、位置決め部に取り付けられる取付部と、この取付部に揺動可能に設けられる支持棒と、この支持棒に揺動可能に設けれ小物品を保持する保持部とを備えることを特徴とする。
【００１１】
請求項４に係る考案では、保持機構は、位置決め部に着脱可能に設けられていることを特徴とする。
【００１２】
請求項５に係る考案では、クリップ部は、軸を介して揺動可能に設けられスライドバーを挟む左右の基端側挟み板と、これらの左右の基端側挟み板から延びるとともに互い違いに交差するように曲がる左右の指部と、左右の挟み板を挟み込み方向に付勢する付勢部材とを備えることを特徴とする。
【００１３】
請求項６に係る考案では、小物品は、携帯端末であることを特徴とする。
【００１４】
請求項７に係る考案では、左右の基端側挟み板のうち一方は、位置決め部に一体に成形されてることを特徴とする。
【００１５】
請求項８に係る考案では、ガイド板は、取っ手を挟むように対向して２つ設けられ、これら２つのガイド板は、互いに接近する方向に移動可能に設けられるとともに、接近する方向に付勢部材によって付勢されていることを特徴とする。
【考案の効果】
【００１６】
請求項１に係る考案では、鞄は、自立した状態で上方へ引出可能なスライドバーと、このスライドバーの上端に設けられる取っ手とを備え、物品ホルダーは、引き出されたスライドバーに取り付けられるクリップ部と、取っ手の角部に位置決めされる位置決め部とを備える。位置決め部は、クリップ部から縦方向に延び取っ手の長手方向側部に当接する縦板と、この縦板の先端から横方向に延び取っ手の上部に当接する横板とを備えているので、取っ手の角部に物品ホルダーを位置決めできる。取っ手の角部に位置決めされた状態でスライドバーをクリップ部で挟持するので、スーツケースやトランク等の鞄特有の形状を利用し、鞄に携帯端末等の小物品を保持する物品ホルダーを強固に且つ安定して取り付けることができる。
【００１７】
請求項２に係る考案では、位置決め部は、縦板の幅方向端部及び横板の端部に渡って設けられ取っ手をガイドするガイド板を備える。取っ手の前後方向側部にガイド板が当接することで、取っ手の前後方向に対しても位置決め部の移動を規制することができる。結果、物品ホルダーをより安定して鞄に取り付けることができる。
【００１８】
請求項３に係る考案では、小物品を保持する保持機構は、取付部に揺動可能に設けられる支持棒と、この支持棒に揺動可能に設けれ小物品を保持する保持部とを備えるので、小物品の向きを自由に変えることができる。
【００１９】
請求項４に係る考案では、保持機構は、位置決め部に着脱可能に設けられているので、小物品の形状や大きさに応じた保持機構に付け替えることができる。
【００２０】
請求項５に係る考案では、クリップ部は、軸を介して揺動可能に設けられスライドバーを挟む左右の基端側挟み板と、これらの左右の基端側挟み板から延びるとともに互い違いに交差するように曲がる左右の指部とを備えている。左右の指部は互いに交差するように曲がるいわゆる蟹挟みであるので、外径の大小に関わらずにスライドバーを挟持することができる。
【００２１】
請求項６に係る考案では、小物品はカメラ付きスマートフォンやタブレット等の携帯端末である。本考案であれば、旅行先に持ち運ぶスーツケースやトランク等の鞄を三脚代わりにし、カメラ付きスマートフォンで撮影できる。さらに、専用の三脚やスマートフォンを保持する棒が不要となるので、鞄の荷物を減らして鞄内の容量を大きく確保することができる。さらに、タブレット等の重い携帯端末で検索や読み物を長時間行う場合であっても、手に持たずに物品保持装置にタブレットを保持して手を楽にすることができる。
【００２２】
請求項７に係る考案では、左右の基端側挟み板のうち一方は、位置決め部に一体に成形されてるので、物品ホルダーの部品点数を減らして簡単な構造にすることができる。
【００２３】
請求項８に係る考案では、ガイド板は、取っ手を挟むように対向して２つ設けられている。これら２つのガイド板は、互いに接近する方向に移動可能に設けられるとともに、接近する方向に付勢部材によって付勢されているので、２つのガイド板間の距離を変更して大きさの異なる取っ手を挟持することができる。
【図面の簡単な説明】
【００２４】
【図１】実施例１に係る物品保持装置の要部正面図である。
【図２】実施例２に係る物品ホルダーの前側の要部斜視図である。
【図３】実施例２に係る物品ホルダーの後側の要部斜視図である。
【図４】物品保持装置の作用図である。
【図５】別態様に係る保持機構の正面図である。
【図６】さらなる別態様に係る保持機構の基端側を説明する図である。
【図７】さらなる別態様に係る保持機構の先端側を説明する図である。
【図８】実施例３に係る物品ホルダーの前側の要部斜視図である。
【図９】図８の９−９線断面図である。
【図１０】実施例３に係る物品ホルダーの作用図である。
【図１１】実施例４に係る位置決め部の要部断面図である。
【図１２】従来の技術の基本構成を説明する図である。
【考案を実施するための形態】
【００２５】
本考案を実施するための形態を添付図に基づいて以下に説明する。
【実施例１】
【００２６】
まず、本考案に使用される鞄の一例を図面に基づいて説明する。
図１、図４に示されるように、物品保持装置１０に使用される鞄２０はスーツケースであり、衣類などの主物品を収納するケース本体２１と、このケース本体２１に図示せぬヒンジを介して開閉可能に取り付けられた蓋体２２と、ケース本体２１に引き出し可能に設けられたスライドバー２３、２３と、これらのスライドバー２３、２３の上端に設けられた取っ手２４とを備えている。
【００２７】
取っ手２４は、スライドバー２３、２３を引き出した状態にロックするとともに押すことでロックを解除するスイッチ２５を備えている。また、ケース本体２１の下部及び蓋体２２の下部にキャスター２６が設けられている。
【００２８】
キャスター２６の取付位置をケース本体２１及び蓋体２２の下部とした場合に、取っ手２４はケース本体２１の背面上部に位置しており、スライドバー２３、２３を引き出し、取っ手２４を手で把持することで、鞄２０を牽引移動させることができる。また、キャスター２６を地面や床に設置することで、鞄２０を自立させることができる。
【００２９】
ケース本体２１の上部には、取っ手２４とは別に、持ち運び用の上部把持部２７が、揺動可能、起伏又は引出可能に設けられている。さらに、ケース本体２１におけるヒンジの反対側の側部には、持ち運び用の側部把持部２８が揺動可能、起伏又は引出可能に設けられている。また、鞄２０は、ケース本体２１に対して蓋体２２を閉じた状態にロックするロック機構３１、３１と、蓋体２２が閉じた状態を解除する解除ボタン３２、３２とを備えている。
【００３０】
次に実施例１の物品保持装置１０について説明する。
図１に示されるように、物品保持装置１０は、自立可能な鞄２０（図４参照）と、この鞄２０に取り付けられる小物品１１を保持する物品ホルダー４０とからなる。小物品は１１は携帯端末であり、以降は携帯端末１１として説明する。
【００３１】
なお、実施例では小物品１１は携帯端末としたが、これに限定されず、カメラや本等でもよく物品ホルダーに保持できる物であれば差し支えない。さらに、実施例では携帯端末１１をスマートフォンとしたが、これに限定されず、タブレット等であっても差し支えない。
【００３２】
物品ホルダー４０は、スライドバー２３に取り付けられるクリップ部４１と、このクリップ部４１に設けられ取っ手２４の角部３３に位置決めされる位置決め部５１と、この位置決め部５１に設けられ携帯端末１１を保持する保持機構６１とを備えている。
【００３３】
位置決め部５１は、クリップ部４１から縦方向に延び取っ手２４の長手方向側部３４に当接する縦板５２と、この縦板５２の先端から横方向に延び取っ手２４の上部３５に当接する横板５３と、この横板５３の上面に設けられ保持機構６１を支持するボス５４とを備えている。保持機構６１は、位置決め部５１のボス５４に着脱可能に設けられている。このため、小物品１１の形状や大きさに応じた保持機構６１に付け替えることができる。なお、実施例ではボス５４に雌ねじを形成したが、これに限定されず、位置決め部５１全体を樹脂製としボス５４にナットを埋め込んでも差し支えない。
【００３４】
縦板５２の外面には、クリップ部４１から延びる軸４２を支持する軸支持部５５が設けられている。このように、物品ホルダー４０は、クリップ部４１に軸４２を介して位置決め部５１が連結され、位置決め部５１にボス５４を介して保持機構６１が連結されており、クリップ部４１、位置決め部５１及び保持機構６１を一体的に扱うことができる。
【００３５】
位置決め部５１は、縦板５２と横板５３によって側面視でＬ字状に形成され、縦板５２が長手方向側部３４に当接され、横板５３が上部３５に当接されるので、物品ホルダー４０を取っ手２４の角部３３に位置決めでき且つ角部３３に確実に係止することができる。
【００３６】
位置決め部５１が角部３３に位置決めされた状態でスライドバー２３をクリップ部４１で挟持するので、スーツケースやトランク等の鞄２０特有の形状を利用し、鞄２０に携帯端末１１を保持する物品ホルダー４０を強固に且つ安定して取り付けることができる。詳細には、スライドバー２３及び取っ手２４から構成される特有の形状を利用し、物品ホルダー４０を強固に且つ安定して取り付けることができる。
【実施例２】
【００３７】
次に、本考案の実施例２を図面に基づいて説明する。なお、図１に示した構成と同一構成については同一符号を付け、詳細説明は省略する。
図２〜図４に示されるように、物品ホルダー４０は、クリップ部４１、位置決め部５１及び保持機構６１（図１参照）によって構成されている。
【００３８】
クリップ部４１は、軸４２を介して揺動可能に設けられスライドバー２３を挟む左右の基端側挟み板４３Ｌ、４３Ｒ（Ｌ、Ｒは左右を示す）と、これらの左右の基端側挟み板４３Ｌ、４３Ｒの先端から延びるとともに互い違いに交差するように曲がる左右の指部４４Ｌ、４４Ｒと、左右の基端側挟み板４３Ｌ、４３Ｒの後端から左右方向に広がるように延びるとともに手で掴むことができる左右のハンドル部４５Ｌ、４５Ｒとを備える。
【００３９】
軸４２は左右の基端側挟み板４３Ｌ、４３Ｒに設けられた軸受部４６Ｌ、４６Ｒに挿通されている。軸４２はクリップ部４１の上方へ延出しており、軸４２の延出部分は軸支持部５５に支持されている。軸４２には、左右の挟み板４３Ｌ、４３Ｒを挟み込み方向に付勢する付勢部材４７が備えられている。
【００４０】
左右の指部４４Ｌ、４４Ｒは互いに交差するように曲がり挟み込むいわゆる蟹挟み形状であるので、スライドバー２３の太さ（外径）に影響されずにスライドバー２３を挟持することができる。
【００４１】
位置決め部５１は、縦板５２の幅方向端部及び横板５３の端部に渡って設けられ取っ手２４をガイドする左右のガイド板５６Ｌ、５６Ｒを備える。取っ手２４の前後方向側部３６に左右のガイド板５６Ｌ、５６Ｒが当接することで、取っ手２４の前後方向に対しても位置決め部５１の移動を規制することができる。結果、物品ホルダー４０をより安定して鞄２０の取っ手２４に取り付けることができる。
【００４２】
次に保持機構６１について説明する。
図５に示されるように、保持機構６１は、位置決め部５１に取り付けられる取付部６２と、この取付部６２に揺動可能に設けられる支持棒６３と、この支持棒６３に揺動可能に設けれ携帯端末１１（図４参照）を保持する保持部６４とを備える。このため、保持部６４に取り付けられた携帯端末１１の向きを自由に変えることができる。
【００４３】
取付部６２には雄ねじ６２ａが設けられており、この雄ねじ６２ａをボス５４（図３参照）にねじ込むことで取付部６２をボス５４に取り付けることができる。支持棒６３は、取付部６２にボールジョイントによって揺動可能に設けられている。
【００４４】
図４、図５に示されるように、支持棒６３は伸縮可能な伸縮部６３ａを有する。なお、実施例では支持棒６３は伸縮部６３ａを有するものとしたが、伸縮しない任意の長さの棒としてもよい。
保持部６４は上下にスライド可能なアーム６５、６５と、ヒンジを介して揺動可能な端部支持アーム６５ａと、滑り止め部６６とを有し、アーム６５、６５によって携帯端末１１を上下から挟持し、端部支持アーム６５ａを起こして携帯端末１１の横方向端部を支持することができる。
【００４５】
次に保持機構６１の別態様について説明する。
図６（ａ）に示されるように、支持棒６３にはボールジョイント６７ｂを介して板状の下部連結部６７が設けられている。下部連結部６７は板状の本体部分から突出する爪６７ａを備えている。
図６（ｂ）は、図６（ａ）のｂ矢視図であり、爪６７ａは下部連結部６７に４カ所形成されている。
【００４６】
図７（ａ）に示されるように、伸縮部６３ａの下端に板状の上部連結部６８が設けられている。
図７（ｂ）は、図７（ａ）のｂ矢視図であり、上部連結部６８には爪６７ａ（図６参照）が係止され係止孔６８ａが４カ所形成されている。
【００４７】
図６、図７に示されるように、爪６７ａを係止孔６８ａに係止することで、上部連結部６８を下部連結部６７に連結することができる。このため、上部連結部６８を容易に着脱することができ、スマートフォン用の保持部６４やタブレット用の保持部６４やカメラ用の保持部等、小物品１１の種類に応じた保持部６４に容易に付け替えることができる。
【００４８】
以上に説明したように、本考案であれば、旅行先に持ち運ぶスーツケースやトランク等の鞄２０を三脚代わりにし、携帯端末（カメラ付きスマートフォン）１１で撮影できる。さらに、専用の三脚や携帯端末１１を保持する棒が不要となるので、鞄２０の荷物を減らして鞄２０内の容量を大きく確保することができる。さらに、タブレット等の重い携帯端末１１で検索や読み物を長時間行う場合であっても、手に持たずに物品保持装置１０にタブレットを保持して手を楽にすることができる。
【実施例３】
【００４９】
次に、本考案の実施例３を図面に基づいて説明する。なお、図２に示した構成と同一構成については同一符号を付け、詳細説明は省略する。
図８に示されるように、左の基端側挟み板４３Ｌは、位置決め部５１に一体に成形されてる。このため、物品ホルダー４０の部品点数を減らして簡単な構造にすることができる。
【００５０】
図９に示されるように、左の基端側挟み板４４Ｌは、位置決め部５１に断面Ｌ字状に連続して形成されている。このため、クリップ部４１及び位置決め部５１の剛性を向上させることができる。なお、実施例では左の基端側挟み板４４Ｌを位置決め部５１に一体成形したが、右の基端側挟み板４４Ｒを位置決め部５１に一体成形してもよい。
【００５１】
次にクリップ部４１の作用を説明する。
図１０（ａ）に示されるように、想像線で示すスライドバー２３を矢印のように相対移動させ、左の基端側挟み板４３Ｌに当接させる。
図１０（ｂ）に示されるように、右の基端側挟み板４３Ｒもスライドバー２３に当接させ、スライドバー２３を左右の基端側挟み板４３Ｌ、４３Ｒで挟持する。左右の指部４４Ｌ、４４Ｒは互い違いに配置されているので、比較的細いスライドバー２３ｄであっても挟持することができる。
【実施例４】
【００５２】
次に、本考案の実施例４を図面に基づいて説明する。なお、図２に示した構成と同一構成については同一符号を付け、詳細説明は省略する。
図１１に示されるように、横板５３は中間部で左右に分かれている。右のガイド板５６Ｒに連続する横板５３の端部にピン５７が設けられている。ピン５７は左のガイド板５６Ｌに連続する横板５３に沿って延びている。
【００５３】
左のガイド板５６Ｌに連続する横板５３には、ピン５７をスライド可能に支持するスライド孔５３ａが形成されている。ピンは横板５３に複数設けられている。このため、左のガイド板５６Ｌは、右のガイド板５６Ｒに対して対向するともに移動可能に設けられる。
【００５４】
左のガイド板５６Ｌに連続する横板５３には、左の引っかけ部５３ｂが設けられている。右のガイド板５６Ｒに連続する横板５３にも、右の引っかけ部５３ｂが設けられている。左右の引っかけ部５３ｂに付勢部材５８が引っかけられており、左のガイド板５６Ｌは右のガイド板５６Ｒに接近する方向に付勢されている。
【００５５】
尚、実施例では、鞄２０をスーツケースとしたが、これに限定されず、トランク等でもよく、自立することができ引出可能なスライドバーと取っ手を備えた鞄であれば種類は問わない。
【産業上の利用可能性】
【００５６】
本考案の物品保持装置は、ビジネスや旅行に使用する鞄に好適である。
【符号の説明】
【００５７】
１０…  物品保持装置
１１…  小物品（携帯端末）
２０…  鞄
２３…  スライドバー
２４…  取っ手
４０…  物品ホルダー
４１…  クリップ部
４２…  軸
４３Ｌ、４３Ｒ…  基端側挟み板
４４Ｌ、４４Ｒ…  指部
４７、５８…  付勢部材
５１…  位置決め部
５２…  縦板
５３…  横板
５６Ｌ、５６Ｒ…  ガイド板
６１…  保持機構
６２…  取付部
６３…  支持棒
６４…  保持部
【図１】
0003202014.tif 000003
【図２】
0003202014.tif 000004
【図３】
0003202014.tif 000005
【図４】
0003202014.tif 000006
【図５】
0003202014.tif 000007
【図６】
0003202014.tif 000008
【図７】
0003202014.tif 000009
【図８】
0003202014.tif 000010
【図９】
0003202014.tif 000011
【図１０】
0003202014.tif 000012
【図１１】
0003202014.tif 000013
【図１２】
0003202014.tif 000014